(57)【要約】【課題】  短時間で容易に微量の試料の蛍光を測定することができる蛍光測定装置を提供する。【解決手段】  蛍光測定用ピペット４にチップ３０が装着され、チップ３０内に試料が計り取られて収容される。この状態を維持したまま、蛍光測定用ピペット４は蛍光測定装置１に装着される。励起光源４１から出力された励起光は、レンズ４２によりコリメートされ、アパーチャ４３を通過し、ピペットアダプタ２０の励起光導入窓２３を透過し、ピペットアダプタ２０の内部空間２０Ａに導入され、反射鏡２４により反射されて、チップ３０内に収容されている試料に対して液面上方から照射される。この励起光照射に因り試料で発生する蛍光のうち下方に放射されてレンズ５１に入力したものは、レンズ５１によりコリメートされ、光フィルタ５２を透過して、光検出器５３により受光される。【選択図】  図３
2005147826.tif 000002
【特許請求の範囲】
【請求項１】
励起光を出力する励起光源と、
内部空間を有するピペットと、
内部空間を有するとともに先端に試料吸入口を有するチップと、
前記ピペットと前記チップとの間に装着可能であり、その装着時に前記ピペットおよび前記チップそれぞれの内部空間と連続する内部空間を有し、前記励起光源から出力された励起光を前記内部空間に導入するとともに該励起光を前記チップの試料吸入口に向けて照射する励起光導入手段を有するピペットアダプタと、
前記チップの試料吸入口に存在する試料に前記励起光が照射されることで該試料で発生する蛍光を検出する蛍光検出手段と、
を備えることを特徴とする蛍光測定装置。
【請求項２】
前記励起光導入手段が、
外部から前記ピペットアダプタの内部空間に前記励起光を導入する励起光導入窓と、
前記励起光導入窓により前記内部空間へ導入された前記励起光を前記チップの試料吸入口に向けて反射させる反射鏡と、
を備えることを特徴とする請求項１記載の蛍光測定装置。
【請求項３】
前記励起光導入手段が、外部から導波させた前記励起光を前記内部空間に設けられた一端から前記チップの試料吸入口に向けて出射する光ファイバを備える、ことを特徴とする請求項１記載の蛍光測定装置。
【請求項４】
前記光ファイバの前記一端の近傍に設けられ前記励起光を集光する励起光集光手段を更に備えることを特徴とする請求項３記載の蛍光測定装置。
【請求項５】
前記励起光導入手段が、外部から前記ピペットアダプタの内部空間に導入される前記励起光のうち所定波長帯域の成分のみを選択して前記チップの試料吸入口に向けて照射する、ことを特徴とする請求項１記載の蛍光測定装置。
【請求項６】
前記蛍光検出手段が、前記試料から到達した光のうち蛍光を選択的に取り出す蛍光分離部と、この蛍光分離部により取り出された前記蛍光を検出する光検出器と、を有することを特徴とする請求項１記載の蛍光測定装置。
【請求項７】
前記蛍光分離部が、前記励起光導入手段による励起光照射の光軸上であって前記試料の後方に設けられ蛍光を選択的に透過させる光フィルタを含み、
前記光検出器が、前記光フィルタを透過した蛍光を検出する、
ことを特徴とする請求項６記載の蛍光測定装置。
【請求項８】
前記光軸上からの前記光フィルタの待避が可能である、ことを特徴とする請求項７記載の蛍光測定装置。
【請求項９】
前記蛍光分離部が、前記励起光源と前記励起光導入手段との間に設けられ前記励起光を透過させるとともに前記蛍光を反射させるダイクロイックミラーを含み、
前記光検出器が、前記ダイクロイックミラーにより反射された蛍光を検出する、
ことを特徴とする請求項６記載の蛍光測定装置。
【請求項１０】
前記蛍光分離部が、前記励起光導入手段による励起光照射の光軸上とは異なる位置に設けられ蛍光を選択的に透過させる光フィルタを含み、
前記光検出器が、前記光フィルタを透過した蛍光を検出する、
ことを特徴とする請求項６記載の蛍光測定装置。
【請求項１１】
前記蛍光検出手段が、前記試料から到達した光をコリメートして前記光フィルタへ入射させるコリメート光学系を更に有する、ことを特徴とする請求項７または１０に記載の蛍光測定装置。
【請求項１２】
前記ピペットアダプタに装着したときの前記チップの装着位置を規定する位置決め手段を更に備えることを特徴とする請求項１記載の蛍光測定装置。
【発明の詳細な説明】
【技術分野】
【０００１】
本発明は、励起光が照射された試料で発生する蛍光を検出する蛍光測定装置に関するものである。
【背景技術】
【０００２】
医薬品工業、食品工業、化学工業及び農林水産業等の幅広い分野で、新薬の研究開発、酵素のスクリーニング、生理活性物質等の生体内微量機能物質の分析等を行うに際して、蛍光を測定することにより試料の分析が行われている。バイオ関連分野で重要な核酸や蛋白質等の生体試料を分析する場合には、測定対象である生体試料が微量しかないことが多く、また、試料の定量も重要であることから、例えば、次に示すような方法により分析が行われる。
【０００３】
すなわち、図９に示したようなピペット１０及びチップ３０が用いられて、ピペット１０の先端に装着されたチップ３０内に試料が計り取られ、この試料が特別な微量測定用セルに移し替えられる。そして、この試料が容れられたセルに対して側方から励起光が照射され、この試料から放出される蛍光のうちセルの側方（ただし、励起光照射方向とは異なる方向）に出た蛍光が光検出器により検出される。
【０００４】
特許文献１に開示された方法では、試料が容れられたセルに対して上方から励起光が照射され、この試料から放出される蛍光のうちセルの上方に出た蛍光が光検出器により検出される。
【０００５】
また、特許文献２に開示された方法では、試料が容れられたセルに対して上方から励起光が照射され、この試料から放出される蛍光のうちセルの下方に出た蛍光が光検出器により検出される。
【特許文献１】特開平５−３８２９７号公報
【特許文献２】特開２００２−７１５６６号公報
【発明の開示】
【発明が解決しようとする課題】
【０００６】
しかしながら、上記のように試料をチップからセルに移し替えて蛍光測定を行う場合には、以下のような問題がある。すなわち、セルは、一般的に高価であり、使用後に洗浄・乾燥して再使用される。したがって、セルは、洗浄等の際に破損の可能性があり、取り扱いが容易でない。また、セルは、再使用されることからコンタミネーションの問題を有している一方で、充分に洗浄することが容易でない。
【０００７】
また、試料は蛍光測定後に次の反応が行われることがあり、その場合には、蛍光測定の為にセルに容れられた試料は測定後に回収される必要がある。しかし、従来の蛍光測定技術では、試料の回収率が不充分であり、加えて、回収に伴う試料のコンタミネーションが発生するおそれがある。また、チップからセルへの試料の移し替えやセルの洗浄や乾燥等に時間を要する。
【０００８】
さらに、セルに容れられる試料の量は一般に１００μｌ（マイクロ・リットル）程度であり、試料が極微量しかない場合には、試料を希釈する必要がある場合がある。また、その貴重な試料をセルから完全に回収することは困難である。
【０００９】
このように、セルに試料を移し替えて蛍光測定することは、様々な問題点を有している。このセルを用いた場合の問題点を解消する蛍光測定技術として、セルに移し替えられること無くチップに試料が計り取られている状態で、このチップに対して側方から励起光を照射して、チップ内の試料から放出される蛍光のうちチップの側方（ただし、励起光照射方向とは異なる方向）に出た蛍光を光検出器により検出することも考えられる。
【００１０】
この場合、チップに計り取られる試料は微量であり、また、一般にチップは安価であって１回限り使用されることから、セルを使用する場合のような問題点は無い。しかし、チップの断面形状が円形であることから、チップによる励起光の散乱が大きく、それ故、蛍光測定には不適である。
【００１１】
本発明は、上記問題点を解消する為になされたものであり、短時間で容易に微量の試料の蛍光を測定することができる蛍光測定装置を提供することを目的とする。
【課題を解決するための手段】
【００１２】
本発明に係る蛍光測定装置は、(1) 励起光を出力する励起光源と、(2) 内部空間を有するピペットと、(3) 内部空間を有するとともに先端に試料吸入口を有するチップと、(4) ピペットとチップとの間に装着可能であり、その装着時にピペットおよびチップそれぞれの内部空間と連続する内部空間を有し、励起光源から出力された励起光を内部空間に導入するとともに該励起光をチップの試料吸入口に向けて照射する励起光導入手段を有するピペットアダプタと、(5) チップの試料吸入口に存在する試料に励起光が照射されることで該試料で発生する蛍光を検出する蛍光検出手段と、を備えることを特徴とする。
【００１３】
この蛍光測定装置では、ピペットアダプタはピペットとチップとの間に装着されて用いられ、装着された状態では、ピペットアダプタ、ピペットおよびチップそれぞれの内部空間は連続している。チップの先端にある試料吸入口付近に試料が計り取られて、その状態で、これら相互に装着されたピペットアダプタ、ピペットおよびチップは所定位置に配置される。そして、励起光源から励起光が出力される。この出力された励起光は、励起光導入手段により、外部からピペットアダプタの内部空間に導入され、チップの試料吸入口に向けて照射されて、チップ内に容れられている試料に対して液面上方から照射される。この励起光照射により試料で発生する蛍光は蛍光検出手段により検出される。
【００１４】
本発明に係る蛍光測定装置では、励起光導入手段は、外部からピペットアダプタの内部空間に励起光を導入する励起光導入窓と、励起光導入窓により内部空間へ導入された励起光をチップの試料吸入口に向けて反射させる反射鏡と、を備えるのが好適である。この場合には、励起光は、外部から励起光導入窓を介してピペットアダプタの内部空間に導入され、反射鏡により反射されてチップの試料吸入口に向けて照射される。
【００１５】
本発明に係る蛍光測定装置では、励起光導入手段は、外部から導波させた励起光を内部空間に設けられた一端からチップの試料吸入口に向けて出射する光ファイバを備えるのが好適である。この場合には、励起光は、外部から光ファイバを導波して、ピペットアダプタの内部空間にある光ファイバの一端からチップの試料吸入口に向けて照射される。また、光ファイバの該一端の近傍に設けられ励起光を集光する励起光集光手段を更に備えるのが好適である。
【００１６】
本発明に係る蛍光測定装置では、励起光導入手段は、外部からピペットアダプタの内部空間に導入される励起光のうち所定波長帯域の成分のみを選択してチップの試料吸入口に向けて照射するのが好適である。この場合には、蛍光測定にとって不要な波長成分が試料に照射されるのを低減することができ、チップ内の試料の温度が上昇するのを防止することができる。
【００１７】
本発明に係る蛍光測定装置では、蛍光検出手段は、試料から到達した光のうち蛍光を選択的に取り出す蛍光分離部と、この蛍光分離部により取り出された蛍光を検出する光検出器と、を有するのが好適である。この場合には、励起光照射により試料で発生する蛍光は、蛍光分離部により選択的に取り出されて、光検出器により検出される。
【００１８】
ここで、蛍光分離部は、励起光導入手段による励起光照射の光軸上であって試料の後方に設けられ蛍光を選択的に透過させる光フィルタを含み、光検出器が、光フィルタを透過した蛍光を検出するのが好適である。この場合には、光フィルタには、試料で発生した蛍光だけでなく、試料を透過した励起光も到達する。そのうち励起光は光フィルタにより遮断される一方、蛍光は光フィルタを透過して光検出器により検出される。また、光軸上からの光フィルタの待避が可能であれば、この蛍光測定装置は、試料の吸光度を測定する際にも用いられ得るので、等しい条件下における蛍光測定データおよび吸光度測定データを得ることができる。
【００１９】
或いは、蛍光分離部は、励起光源と励起光導入手段との間に設けられ励起光を透過させるとともに蛍光を反射させるダイクロイックミラーを含み、光検出器が、ダイクロイックミラーにより反射された蛍光を検出するのも好適である。この場合には、試料で発生した蛍光のうち励起光照射方向とは逆の方向に進むものは、ダイクロイックミラーにより反射されて光検出器により検出される。なお、試料に照射された励起光の一部は試料により散乱されて、その散乱光の一部は蛍光とともにダイクロイックミラーに到達するが、このダイクロイックミラーは蛍光を選択的に反射させるので、散乱光は光検出器に入射しない。
【００２０】
或いは、蛍光分離部は、励起光導入手段による励起光照射の光軸上とは異なる位置に設けられ蛍光を選択的に透過させる光フィルタを含み、光検出器が、光フィルタを透過した蛍光を検出するのも好適である。この場合には、試料で発生した蛍光のうち光フィルタに入射したものは、この光フィルタを透過して光検出器により検出される。なお、試料に照射された励起光の一部は試料により散乱されて、その散乱光の一部は、蛍光とともに光フィルタに入射するが、この光フィルタにより遮断される。
【００２１】
蛍光分離部が上記の光フィルタを有する場合、蛍光検出手段は、試料から到達した光をコリメートして光フィルタへ入射させるコリメート光学系を更に有するのが好適である。この場合には、光フィルタへ光を垂直に入射させることができるので、光フィルタの実際の透過特性が設計どおりに得られて、蛍光は高い透過率で透過し得る一方で、励起光は高い遮断率で遮断され得る。
【００２２】
本発明に係る蛍光測定装置は、ピペットアダプタに装着したときのチップの装着位置を規定する位置決め手段を更に備えるのが好適であり、この場合には、常に一定の状態でチップが装着されるため、チップの差込具合による蛍光測定位置の変動がなく、チップは蛍光測定装置の所定位置に再現性よく配置され得る。
【発明の効果】
【００２３】
本発明によれば、短時間で容易に微量の試料の蛍光を測定することができる。
【発明を実施するための最良の形態】
【００２４】
以下、添付図面を参照して、本発明を実施するための最良の形態を詳細に説明する。なお、図面の説明において同一の要素には同一の符号を付し、重複する説明を省略する。
【００２５】
先ず、実施形態の蛍光測定装置において用いられる蛍光測定用ピペットおよびピペットアダプタについて説明する。図１は、蛍光測定用ピペット４の構成図である。同図には、蛍光測定用ピペット４の他にチップ３０も示されている。また、図２は、ピペットアダプタ２０の構成を示す断面図である。
【００２６】
蛍光測定用ピペット４は、ピペット１０およびピペットアダプタ２０を備えて構成される。従来の構成を示した図９と比較すると、本実施形態では、ピペット１０とチップ３０との間にピペットアダプタ２０が設けられる点で異なっている。ピペット１０およびチップ３０それぞれとしては、従来より市販され使用されているものが利用可能である。ピペット１０とピペットアダプタ２０とは、一体であってもよいし、互いに別体であって着脱自在でもよいが、一体のものとされていれば取り扱いが容易である。
【００２７】
ピペットアダプタ２０は、ピペット１０の先端を挿入するピペット装着部２１と、チップ３０を装着するチップ装着部２２とを有しており、ピペット１０とチップ３０との間に装着可能である。ピペットアダプタ２０は、その装着時にピペット１０およびチップ３０それぞれの内部の空間と連続する内部空間２０Ａを有している。ピペットアダプタ２０とピペット１０との間の接合、および、ピペットアダプタ２０とチップ３０との間の接合は、チップ３０内に試料を保持・静止させるために共に気密性が高いことが必要とされることから、ピペット装着部２１およびチップ装着部２２それぞれは、気密性に優れた材質である例えばゴム状物質や高分子でコーティングされていたり、また、特にピペット装着部２１とピペット１０との間においてゴム状物質からなるＯリング等の気密性保持部材を挟み込んでいたりしているのが好適である。
【００２８】
また、ピペットアダプタ２０は、外部から内部空間２０Ａに励起光を導入する励起光導入窓２３と、その励起光導入窓２３を透過して内部空間２０Ａへ導入された励起光をチップ装着部２２の開口を経てチップ３０の試料吸入口３１に向けて反射させる反射鏡２４とを備える。励起光導入窓２３は、外部から内部空間２０Ａに導入する励起光のうち試料の蛍光測定に必要な所定波長帯域の成分のみを選択して透過するものであるのが好適である。同様に、反射鏡２４も、内部空間２０Ａに導入された励起光のうち所定波長帯域の成分のみを選択して反射させるものであるのが好適である。或いは、内部空間２０Ａに導入された励起光のうち所定波長帯域の成分のみを選択して透過させるバンドパスフィルタをピペットアダプタ２０の内部空間２０Ａに備えるのも好適である。
【００２９】
次に、本発明に係る蛍光測定装置の第１実施形態について説明する。図３は、第１実施形態に係る蛍光測定装置１の構成図である。この図に示される蛍光測定装置１は、上述したピペット１０、ピペットアダプタ２０およびチップ３０に加えて、励起光源４１、レンズ４２、アパーチャ４３、レンズ５１、光フィルタ５２、光検出器５３およびモータ５４を備える。
【００３０】
なお、光源４１からアパーチャ４３に到るまでの照射光学系と、レンズ５１から光検出器５３に到るまでの検出光学系とは、互いの相対的位置が固定されており、例えば、装置の筐体内に固定されて配置される。そして、これらに対して、チップ３０が装着された蛍光測定用ピペット４は所定位置に着脱自在となっている。所定位置に蛍光測定用ピペット４を着脱自在に装着するには、固定スタンド筐体に対して磁石を用いて蛍光測定用ピペット４を固定したり、或いは、筐体に設けた孔に蛍光測定用ピペット４を挿嵌したりすることで、適切な光学的配置をとることができる。
【００３１】
励起光源４１は、チップ３０の試料吸入口３１から計り取られて保持される試料に照射すべき所定波長域の励起光を出力するものであり、例えば、紫外光を出力する重水素ランプが好適に用いられる。レンズ４２は、励起光源４１から出力された励起光をコリメートする。アパーチャ４３は、レンズ４２によりコリメートされた励起光の光束断面のうち一部を通過させて、その通過させた励起光をピペットアダプタ２０の励起光導入窓２３へ入射させる。なお、励起光源４１とピペットアダプタ２０との間の励起光光路上にシャッタを設けるのも好適であり、この場合には、試料への励起光の照射時間を規定し、試料に励起光が長時間照射されることに因る試料温度の上昇を防止することができる。
【００３２】
レンズ５１、光フィルタ５２および光検出器５３は、反射鏡２４から試料への励起光照射の光軸上であって、試料の後方（試料を挟んで反射鏡２４の反対側）に設けられている。レンズ５１は、チップ３０の試料吸入口３１に保持される試料から下方に出て到達した光をコリメートして、そのコリメートした光を光フィルタ５２へ入射させる。レンズ５１のコリメート作用を考慮すると、蛍光を発する試料が点光源であるとみなし得る程度に、チップ３０の試料吸入口３１に保持される試料の寸法が小さいことが望ましく、そのような試料寸法とすることができる試料吸入口３１の形状とすることが望ましい。光フィルタ５２は、レンズ５１によりコリメートされた光を入力して、この入力した光のうち蛍光を透過させる一方で励起光を遮断することで、蛍光を選択的に取り出す。光検出器５３は、光フィルタ５２を透過して到達した蛍光を受光し、この蛍光の強度に応じた値の電流信号を出力するものであり、例えば、光電子増倍管やフォトダイオード等が好適に用いられる。
【００３３】
モータ５４は、光フィルタ５２が取り付けられた円板５５を回転させるものである。この円板５５には、光フィルタ５２として透過波長域が異なる複数のものが設けられていてもよいし、光を遮断する遮蔽部が設けられていてもよいし、また、そのまま光を通過させる開口部が設けられていてもよい。モータ５４が円板５５の回転方位を適切に設定することにより、試料で発生する蛍光の波長に合わせて適切な透過波長域を有する光フィルタ５２が選択され、或いは、光検出器５３への光の入射を遮断する遮蔽部が選択され、或いは、試料から到達した光をそのまま光検出器５３へ入射させる開口部が選択される。このように、光軸上から光フィルタ５２が待避して、光軸上に開口部が位置する場合には、この蛍光測定装置１は吸光度測定にも用いられ得るので、等しい条件下における蛍光測定データおよび吸光度測定データを得ることができる。
【００３４】
次に、第１実施形態に係る蛍光測定装置１の動作について説明する。初めに、蛍光測定用ピペット４にチップ３０が装着され、試料容器からチップ３０内に試料が計り取られて収容される。この試料としては、特に限定されるものではなく、溶液状、半固体状又は固体状であってもよく、適当な溶媒を用いて蛍光測定を行い得る濃度とされたものであればよい。より具体的には、生体試料としての尿サンプル、血液サンプル、体液サンプル若しくは生体組織、核酸、蛋白質若しくは塩基等の蛍光性物質や蛍光標識化物質等が挙げられ、生体試料以外の試料としては、河川水、湖沼水、海水、水道水、雨水、焼却灰、廃棄物若しくは環境中の動植物サンプル等の環境試料、一般に使用される金属、セラミック、プラスチックス、それらの抽出液若しくは溶解液、ガス若しくはそれらの吸収物等、又は、合成された物質等の分析サンプルの蛍光性物質や蛍光標識化物質が挙げられる。そして、蛍光測定用の試料としては、これら溶質として、適当な溶媒に溶解又は分散させたものを用いることができる。
【００３５】
次いで、この状態を維持したまま、蛍光測定用ピペット４は蛍光測定装置１の所定位置に配置される。図３には、この装着時の光学系が示されている。そして、光源４１から励起光が出力される。励起光源４１から出力された励起光は、レンズ４２によりコリメートされ、アパーチャ４３を通過し、ピペットアダプタ２０の励起光導入窓２３に入射する。その励起光は、励起光導入窓２３を透過して、ピペットアダプタ２０の内部空間２０Ａに導入され、反射鏡２４により反射される。反射された励起光は、チップ３０内に収容されている試料に対して液面上方から照射される。
【００３６】
この励起光照射に因り試料で蛍光が発生する。この蛍光は、全ての方向に放射され、その一部がチップ３０の試料吸入口３１から外部へ出力される。その蛍光のうち下方に放射されてレンズ５１に入力したものは、レンズ５１によりコリメートされて、光フィルタ５２に垂直入射し、この光フィルタ５２を透過して、光検出器５３により受光される。そして、この受光された蛍光の強度に応じた値の電流信号が光検出器５３から出力され、この電流信号が電圧信号に変換され、この電圧信号が例えばコンピュータ（不図示）に入力されて解析される。なお、試料に照射された励起光の一部は、試料を透過して、入射方向と同一の方向に出射されるが、光フィルタ５２により遮断される。したがって、光検出器５３へ入射する励起光の光量は極僅かである。
【００３７】
このようにして蛍光測定が終了すると、蛍光測定の為に蛍光測定用ピペット４に装着されたチップ３０に容れられた試料は、目的の反応容器に移される。したがって、試料を回収するステップを省くことができ、回収に伴う試料のコンタミネーションの発生が回避され、また、高価な蛍光測定用のセルが不要であって、微量試料の蛍光測定が迅速に行われる。また、従来の市販のチップ３０を用いることができるので安価であり、使用後のチップ３０を廃棄することもできる。さらに、断面形状が円形であるチップ３０の側方から励起光を照射するのではなく、試料の液面の上方から励起光を照射するので、チップ３０による励起光の散乱が小さい。このように、本実施形態に係る蛍光測定装置１を用いることにより、短時間で容易に微量の試料の蛍光を測定することができる。
【００３８】
次に、本発明に係る蛍光測定装置の第２実施形態について説明する。図４は、第２実施形態に係る蛍光測定装置２の構成図である。この図に示される蛍光測定装置２は、上述したピペット１０、ピペットアダプタ２０およびチップ３０に加えて、励起光源４１、レンズ４２、アパーチャ４３、ダイクロイックミラー４４および光検出器５３を備える。
【００３９】
前の図３に示された蛍光測定装置１と比較すると、この図４に示される蛍光測定装置２は、レンズ５１，光フィルタ５２およびモータ５４を備えていない点、ダイクロイックミラー４４を備えている点、ならびに、光検出器５３が設けられている位置の点、で相違する。ダイクロイックミラー４４は、アパーチャ４３とピペットアダプタ２０の励起光導入窓２３との間の励起光の光路上に斜めに設けられ、励起光を透過させるとともに、蛍光を反射させる。光検出器５３は、ダイクロイックミラー４４により反射された蛍光を検出する。
【００４０】
次に、第２実施形態に係る蛍光測定装置２の動作について説明する。初めに、蛍光測定用ピペット４にチップ３０が装着され、試料容器からチップ３０内に試料が計り取られて収容される。次いで、この状態を維持したまま、蛍光測定用ピペット４は蛍光測定装置２の所定位置に配置される。図４には、この装着時の光学系が示されている。そして、光源４１から励起光が出力される。励起光源４１から出力された励起光は、レンズ４２によりコリメートされ、アパーチャ４３を通過し、ダイクロイックミラー４４を透過し、ピペットアダプタ２０の励起光導入窓２３に入射する。その励起光は、励起光導入窓２３を透過して、ピペットアダプタ２０の内部空間２０Ａに導入され、反射鏡２４により反射される。反射された励起光は、チップ３０内に収容されている試料に対して液面上方から照射される。
【００４１】
この励起光照射に因り試料で発生する蛍光は、全ての方向に放射される、その蛍光のうち上方（励起光照射方向と逆の方向）に放射されたものは、反射鏡２４により反射され、励起光導入窓２３を透過し、ダイクロイックミラー４４により反射されて、光検出器５３により受光される。そして、この受光された蛍光の強度に応じた値の電流信号が光検出器５３から出力され、この電流信号が電圧信号に変換され、この電圧信号が例えばコンピュータ（不図示）に入力されて解析される。なお、試料に照射された励起光の一部は試料により散乱されて、その散乱光の一部は、蛍光とともにダイクロイックミラー４４に入射するが、このダイクロイックミラー４４を透過する。したがって、光検出器５３へ入射する励起光の光量は極僅かである。
【００４２】
本実施形態に係る蛍光測定装置２も、上述した第１実施形態に係る蛍光測定装置１と同様の効果を奏することができる。加えて、本実施形態に係る蛍光測定装置２では、光検出器５３が受光する励起光およびその散乱光の光量が第１実施形態と比較すると極めて少ない点が優れている。
【００４３】
次に、本発明に係る蛍光測定装置の第３実施形態について説明する。図５は、第３実施形態に係る蛍光測定装置３の構成図である。この図に示される蛍光測定装置３は、上述したピペット１０、ピペットアダプタ２０およびチップ３０に加えて、励起光源４１、レンズ４２、アパーチャ４３、レンズ５１、光フィルタ５２、光検出器５３およびモータ５４を備える。
【００４４】
前の図３に示された蛍光測定装置１と比較すると、この図５に示される蛍光測定装置３は、レンズ５１，光フィルタ５２，光検出器５３およびモータ５４が設けられている位置の点で相違する。本実施形態では、レンズ５１、光フィルタ５２および光検出器５３は、反射鏡２４から試料への励起光照射の光軸上とは異なる位置に設けられている。好適には、レンズ５１から光検出器５３に到るまでの検出光学系の光軸は、反射鏡２４から試料への励起光照射の光軸に対して直交している。
【００４５】
レンズ５１は、チップ３０の試料吸入口３１に保持される試料から側方に出て到達した光をコリメートして、そのコリメートした光を光フィルタ５２へ入射させる。光フィルタ５２は、レンズ５１によりコリメートされた光を入力して、この入力した光のうち蛍光を透過させる一方で励起光を遮断することで、蛍光を選択的に取り出す。光検出器５３は、光フィルタ５２を透過して到達した蛍光を受光し、この蛍光の強度に応じた値の電流信号を出力する。
【００４６】
なお、本実施形態では、チップ３０の試料吸入口３１に保持される試料は励起光照射方向に長いのが好ましく、そのような試料寸法とすることができる試料吸入口３１の形状とすることが望ましい。このようにすることにより、励起光が試料中を通過する距離が長くなって、試料における励起光吸収効率が高まり、蛍光の放出量を多くすることができる。このとき、蛍光を発する試料は、点光源ではなく、励起光照射方向に長い光源とみなし得る。したがって、レンズ５１はシリンドリカルレンズであるのが好ましい。また、光検出器５３の有効な受光面も励起光照射方向に長いのが好ましい。また、本実施形態では、試料で発生した蛍光はチップ３０を透過して光検出器５３により検出されるので、チップ３０は蛍光波長において透過率が高いのが好ましい。
【００４７】
さらに、チップ３０内に試料が計り取られて収容されている状態でチップ３０は蛍光測定装置３の所定位置に再現性よく配置される必要がある。特に本実施形態では、蛍光を検出するための検出光学系がチップ３０の側方にあるので、蛍光測定装置３における蛍光測定用ピペット４の配置は高精度になされることが重要である。そのためには、前述したような蛍光測定用ピペット４の蛍光測定装置３に対する固定に加え、チップ３０の差込具合による蛍光測定位置の変動がないように、チップ３０が蛍光測定用ピペット４のピペットアダプタ２０に常に一定の位置で装着される必要がある。
【００４８】
そこで、ピペットアダプタ２０に装着したときのチップ３０の装着位置を規定する位置決め手段を更に備えるのが好適である。例えば、図６（ａ）または（ｂ）に示されるように、チップ３０の上端側に設けた段差であるストッパ６１とチップ装着部２２の先端とが当接することにより、或いは、ピペットアダプタ２０の途中に設けた段差であるストッパ６１とチップ３０の上端とが当接することにより、チップ３０がピペットアダプタ２０に対して常に一定の位置で装着される。
【００４９】
次に、第３実施形態に係る蛍光測定装置３の動作について説明する。初めに、蛍光測定用ピペット４にチップ３０が装着され、試料容器からチップ３０内に試料が計り取られて収容される。次いで、この状態を維持したまま、蛍光測定用ピペット４は蛍光測定装置３の所定位置に配置される。図５には、この装着時の光学系が示されている。そして、光源４１から励起光が出力される。励起光源４１から出力された励起光は、レンズ４２によりコリメートされ、アパーチャ４３を通過し、ピペットアダプタ２０の励起光導入窓２３に入射する。その励起光は、励起光導入窓２３を透過して、ピペットアダプタ２０の内部空間２０Ａに導入され、反射鏡２４により反射される。反射された励起光は、チップ３０内に収容されている試料に対して液面上方から照射される。
【００５０】
この励起光照射に因り試料で発生する蛍光は、全ての方向に放射される。その蛍光のうち側方に放射されてレンズ５１に入力したものは、レンズ５１によりコリメートされて、光フィルタ５２に垂直入射し、この光フィルタ５２を透過して、光検出器５３により受光される。そして、この受光された蛍光の強度に応じた値の電流信号が光検出器５３から出力され、この電流信号が電圧信号に変換され、この電圧信号が例えばコンピュータ（不図示）に入力されて解析される。なお、試料に照射された励起光の一部は試料により散乱されて、その散乱光の一部は、蛍光とともに光フィルタ５２に入射するが、この光フィルタ５２により遮断される。したがって、光検出器５３へ入射する励起光の光量は極僅かである。
【００５１】
本実施形態に係る蛍光測定装置３も、上述した第１実施形態に係る蛍光測定装置１と同様の効果を奏することができる。加えて、本実施形態に係る蛍光測定装置３では、光検出器５３が受光する励起光の光量が極めて少なく、その一方で、光検出器５３が受光する蛍光の光量が多いので、蛍光検出のＳ／Ｎ比が優れる。また、この蛍光測定装置３では、吸光度測定用の光学系（光フィルタ、光検出器）をチップ３０の下方に設けておけば、蛍光測定および吸光度測定を同時に行うことができる。
【００５２】
次に、実施形態の蛍光測定装置において用いられるピペットアダプタの変形例について説明する。図７は、変形例のピペットアダプタ１２０の構成を示す断面図である。このピペットアダプタ１２０は、ピペット１０の先端を挿入するピペット装着部１２１と、チップ３０を装着するチップ装着部１２２とを有しており、ピペット１０とチップ３０との間に装着可能である。ピペットアダプタ１２０は、その装着時にピペット１０およびチップ３０それぞれの内部の空間と連続する内部空間１２０Ａを有している。ピペットアダプタ１２０とピペット１０との間の接合、および、ピペットアダプタ１２０とチップ３０との間の接合は、チップ３０内に試料を保持・静止させるために共に気密性が高いことが必要とされることから、ピペット装着部１２１およびチップ装着部１２２それぞれは、気密性に優れた材質である例えばゴム状物質や高分子でコーティングされていたり、また、特にピペット装着部１２１とピペット１０の間においてゴム状物質からなるＯリング等の気密性保持部材を挟み込んでいたりするのが好適である。
【００５３】
また、ピペットアダプタ１２０は、光ファイバ１２３およびレンズ１２４を備える。光ファイバ１２３は、外部から導波させた励起光を内部空間１２０Ａに設けられた一端から出力する。レンズ１２３は、光ファイバ１２３の該一端から出力された励起光を平行光とし、その励起光をチップ装着部１２２の開口を経てチップ３０の試料吸入口３１に向けて照射する。内部空間１２０Ａに導入された励起光のうち所定波長帯域の成分のみを選択して透過させるバンドパスフィルタをピペットアダプタ１２０の内部空間１２０Ａに備えるのも好適である。また、光ファイバ１２３として先端が球状レンズまたはセルフォックレンズとなっているものを用いるのも好適であり、この場合にはレンズ１２４は不要である。
【００５４】
このピペットアダプタ１２０は、上述した蛍光測定装置１〜３それぞれにおいてピペットアダプタ２０に替えて用いられる。このようなピペットアダプタ１２０を用いる場合には、光源４０から出力された励起光は、光ファイバ１２３の外部の一端から入力され、光ファイバ１２３を導波し、光ファイバ１２３の内部空間１２０Ａ内の一端から出射される。その出射された励起光は、既に述べたのと同様にしてチップ３０内の試料に照射される。
【００５５】
本発明は、上記実施形態に限定されるものではなく、種々の変形が可能である。例えば、第１及び第３実施形態それぞれの装置は、試料から発生する化学発光の定量等にも適用が可能である。また、各実施形態の装置を組み合わせて、例えば、第１実施形態の装置で試料からの前方散乱光を検出し、第３実施形態の装置で試料からの側方散乱光を検出して、これらの結果を解析することにより試料の特性の分析が可能である。
【実施例】
【００５６】
上述した第３実施形態に係る蛍光測定装置３を用いた蛍光測定の実施例について説明する。試料容量は２０μｌであり、試料濃度を４段階に変えて、それら各濃度の試料について蛍光測定装置３を用いて蛍光を５回測定した。蛍光測定の１回毎に、蛍光測定用ピペット４を蛍光測定装置３に装着して測定し、測定終了後に蛍光測定用ピペット４を蛍光測定装置３から取り外した。
【００５７】
図８は、蛍光測定結果を示すグラフである。この図の横軸は試料濃度を示し、縦軸は蛍光強度を示す。このグラフから判るように、この実施例における試料の濃度範囲では、測定により得られた蛍光強度は、試料濃度に対して略線形関係にあり、しかも、再現性がよいものであった。
【産業上の利用可能性】
【００５８】
微量な物質の蛍光を測定する場合、従来ではミクロセルと呼ばれる蛍光測定用の高価なセルが必要であったが、本発明では特別なセルが不要になる。したがって、本発明では、セルへの試料の移動、セルの洗浄、乾燥等、時間のかかる一切の作業をなくすことができる。
【００５９】
また、これまで最少量でも１００μｌ程度の容量が必要であったため、試料を希釈せざるを得ず、或いは、試料自体を大量に必要としたが、本発明の装置により、数μｌ〜数十μｌと極微量の試料容積で蛍光測定が可能なため、希釈の必要がなくなるばかりでなく、測定に必要な試料の量を激減でき、しかも、次の作業でそのまま測定した試料を利用することができ、試料のムダが完全になくなる。
【００６０】
さらに、数μｌ〜数十μｌと極微量で蛍光物質が含まれているかどうかの判定を迅速かつ簡便にできるため、バイオ試料の電気泳動やＨＰＬＣによる分離作業の前に予め蛍光物質が間違いなく含まれているかどうかを予備的に確認することができ、また、バイオ試料の分離後、どの分画に目的とする蛍光（標識）物質が含まれているかを容易に知ることができ、作業の高効率化に役立つ。
【００６１】
また、特に多検体の蛍光測定には、本発明の装置は有効であり、例えば酵素反応の最適化条件の検討、酵素反応の経時的モニタリング、酵素阻害剤のスクリーニング等に用いることができる。
【００６２】
さらに、吸光度と蛍光とを測定できるため、例えば、核酸あるいはタンパク質の吸光度と蛍光標識色素の蛍光とを同時に測定できるので、ある分画に蛍光標識化された核酸あるいはタンパク質が含まれているかどうかの確認ができる。
【００６３】
本発明においては、バイオ分野の研究者が最もなじみ深いピペットを用いて、ごく通常の方法で、極微少量の液滴を空気中に非常に容易に保持できる。
【００６４】
試料に対してチップの側方からの励起では、チップ自体によって大きな散乱が起こってしまい、また、試料の下方からの励起では、チップ先端近傍での散乱を伴ってしまう。これに対して、本発明では、試料に対して液面上方から励起光を入射するため、チップ自体による励起光の散乱を最小化できる。
【００６５】
液滴をガラス基板上に滴下し、例えば光ファイバを用いて励起光を滴下した試料に照射して、蛍光を検出する方法が考えられるが、バイオ分野では、コンタミネーションの問題があるので、ピペットから滴下した試料を再び回収して、次の実験には使われない。また、この回収も完全には行えない。これに対して、本発明の蛍光測定装置は、簡便に、迅速に、しかも何らコンタミネーションを起こさず、無駄なく蛍光測定ができる。
【図面の簡単な説明】
【００６６】
【図１】蛍光測定用ピペット４の構成図である。
【図２】ピペットアダプタ２０の構成を示す断面図である。
【図３】第１実施形態に係る蛍光測定装置１の構成図である。
【図４】第２実施形態に係る蛍光測定装置２の構成図である。
【図５】第３実施形態に係る蛍光測定装置３の構成図である。
【図６】ピペット３０の位置決め方法を説明する図である。
【図７】変形例のピペットアダプタ１２０の構成を示す断面図である。
【図８】蛍光測定結果を示すグラフである。
【図９】ピペット１０およびチップ３０の従来の構成を示す図である。
【符号の説明】
【００６７】
１〜３…蛍光測定装置、４…蛍光測定用ピペット、１０…ピペット、２０…ピペットアダプタ、２１…ピペット装着部、２２…チップ装着部、２３…励起光導入窓、２４…反射鏡、２５…光ファイバ、２６…レンズ、３０…チップ、３１…試料吸入口、４１…励起光源、４２…レンズ、４３…アパーチャ、４４…ダイクロイックミラー、５１…レンズ、５２…光フィルタ、５３…光検出器、５４…モータ、６１…ストッパ、１２０…ピペットアダプタ、１２１…ピペット接合部、１２２…チップ接合部、１２３…光ファイバ、１２４…レンズ。
【図１】
2005147826.tif 000003
【図２】
2005147826.tif 000004
【図３】
2005147826.tif 000005
【図４】
2005147826.tif 000006
【図５】
2005147826.tif 000007
【図６】
2005147826.tif 000008
【図７】
2005147826.tif 000009
【図８】
2005147826.tif 000010
【図９】
2005147826.tif 000011